(57)【特許請求の範囲】
【請求項１】
収納部を有するハウジングと、前記収納部の内底面に一端側が配設されると共に、他端側が前記ハウジングの底部から突出された共通接点及び個別接点と、前記共通接点に常時弾接する支持舌片及び前記個別接点と接離可能な弾接舌片とを有し、前記収納部内に揺動可能に支持された可動接片と、前記ハウジングに回動可能に軸支されて前記可動接片を揺動させる操作レバーとを備え、前記共通接点及び個別接点は、棒状の丸線材で形成されると共に、前記ハウジングに圧入保持されており、前記共通接点及び個別接点の側面には、前記ハウジングの圧入保持部の内面に対応する凹凸部を形成し、前記共通接点及び個別接点を、同一長さの丸線材で形成すると共に、それぞれの丸線材に形成された前記凹凸部からそれぞれの端面までの長さを略同一長さに形成し、前記凹凸部の一部を前記ハウジングの底部から表出した状態で前記ハウジングに圧入保持したことを特徴とするスイッチ装置。
【請求項２】
丸線材からなる前記共通接点及び個別接点の一端側を、前記ハウジングの収納部の内底面に突出させると共に、この一端側の側面を前記可動接片の支持舌片と弾性舌片とで挟持したことを特徴とする請求項１記載のスイッチ装置。
【発明の詳細な説明】
【０００１】
【発明の属する技術分野】
本発明は、スイッチ装置に係り、特に、電話機のフックスイッチなどに使用されるレバー操作タイプのスイッチ装置の構造に関する。
【０００２】
【従来の技術】
従来のレバー操作タイプのスイッチ装置の構造を図１１乃至図１３に示す。図１１はスイッチ装置の分解斜視図、図１２、図１３は同じく側断面図である。
この従来のレバー操作タイプのスイッチ装置は、収納部１１ａを有する箱形からなる合成樹脂製のハウジング１１と、このハウジング１１の収納部１１ａの内底面に配設された導電性の金属板からなる複数の共通接点１２及び個別接点１３と、この共通接点１２に常時弾接する支持舌片１４ａを有し、前記共通接点１２の先端側に揺動可能に軸支されると共に、この揺動に伴って、前記支持舌片１４ａの両端側に設けられた一対の弾接舌片１４ｂが前記個別接点１３と接離される同じく導電性の金属材からなる可動接片１４と、前記ハウジング１１に回動可能に軸支されて前記可動接片１４を揺動させる合成樹脂製の操作レバー１６と、この操作レバー１６と前記ハウジング１１の間に介在され、操作レバー１６を復帰させる復帰ばね１５とから構成されている。
【０００３】
この従来のレバー操作タイプのスイッチ装置の構造としては、導電性の金属板をプレス加工して複数の前記共通接点１２及び個別接点１３を形成して、この共通接点１２及び個別接点１３を前記ハウジング１１の収納部１１ａの内底面にプレス治具などでかしめて固定するか、接着するなどして固定されるものとなっている。
【０００４】
また、前記可動接片１４は、上面中央に設けられた軸穴１４ｃが前記共通接点１２の先端側に設けられた突部１２ａに係合され、この突部１２ａを支点として揺動するように形成されている。そして、前記操作レバー１６が回動されるのに伴って、操作レバー１６の内面に設けられた作動突起１６ａによって前記可動接片１４の上面側が押圧されて、前記突部１２ａを支点として揺動され、前記一対の弾接舌片１４ｂと前記個別接点１３とが接離されるものとなっている。
【０００５】
この場合、前記支持舌片１４ａは前記共通接点１２に常時弾接されており、一対の前記弾接舌片１４ｂのどちらか一方が前記個別接点１３と接続（オン）されている時には、他方の前記弾接舌片１４ｂは他方の前記個別接点１３とは離間（オフ）された状態となっており、上記操作レバー１６の回動操作によって前記可動接片１４が揺動されることにより、前記個別接点１３に弾接（オン）された前記弾接舌片１４ｂの弾接挟持部が前記個別接点１３から離脱して個別接点１３の上端から上方へ退避した位置に移動することにより、オフとなり接点の切り換えが行われるものとなっている。
【０００６】
【発明が解決しようとする課題】
しかしながら、上述した従来のスイッチ装置の構成においては、前記可動接片１４は平板状の金属板からなる前記共通接点１２の先端側の一部を突出させた前記突部１２ａに、前記可動接片１４の上面中央に設けられた前記軸穴１４ｃを係合させて揺動可能に支持する構造となっていることから、前記共通接点１２に直接支持させるため平板状の金属板を使用しなければならず材料歩留まりなどに無駄が生じてしまうという問題があった。
【０００７】
また、前記共通接点１２と前記個別接点１３を共通にすることができず、部品点数を削減することができないという問題があった。
【０００８】
したがって、本発明では上述した問題点を解決し、可動接片を安定して揺動支持することができ、共通接点及び個別接点の形状を簡単な構造とし材料費を安く抑えると共に、共通接点と個別接点との部品の共通化が図れるスイッチ装置を提供することを目的とする。
【０００９】
【課題を解決するための手段】
上記課題を解決するために本発明では第１の手段として、収納部を有するハウジングと、前記収納部の内底面に一端側が配設されると共に、他端側が前記ハウジングの底部から突出された共通接点及び個別接点と、前記共通接点に常時弾接する支持舌片及び前記個別接点と接離可能な弾接舌片とを有し、前記収納部内に揺動可能に支持された可動接片と、前記ハウジングに回動可能に軸支されて前記可動接片を揺動させる操作レバーとを備え、前記共通接点及び個別接点は、棒状の丸線材で形成されると共に、前記ハウジングに圧入保持されており、前記共通接点及び個別接点の側面には、前記ハウジングの圧入保持部の内面に対応する凹凸部を形成し、前記共通接点及び個別接点を、同一長さの丸線材で形成すると共に、それぞれの丸線材に形成された前記凹凸部からそれぞれの端面までの長さを略同一長さに形成し、前記凹凸部の一部を前記ハウジングの底部から表出した状態で前記ハウジングに圧入保持したことを特徴とする。
【００１２】
また、第２の手段として、丸線材からなる前記共通接点及び個別接点の一端側を、前記ハウジングの収納部の内底面に突出させると共に、この一端側の側面を前記可動接片の支持舌片と弾性舌片とで挟持したことを特徴とする。
【００１３】
【発明の実施の形態】
以下、本発明の一実施例を図１乃至図１０に示す。図１はレバー操作タイプのスイッチ装置を示す分解斜視図、図２は同じく全体斜視図、図３は操作レバーの初期状態を示す側断面図、図４は同じく操作レバーの操作時を示す側断面図、図５はハウジングの平面図、図６は同じく側断面図、図７は可動接片と個別接点とのオン状態を示す説明図、図８は同じくオフ状態を示す説明図、図９は同じくオフ状態の他の実施例を示す説明図、図１０は同じくオン状態の他の実施例を示す説明図である。
【００１４】
図において、ハウジング１は合成樹脂などの絶縁材で収納部１ａを有する上面開口状の箱形に形成されている。このハウジング１の収納部１ａ中央には、後述する復帰ばね５を収容する凹状の丸穴からなるばね収容部１ｂが設けられており、このばね収容部１ｂを挟んで対向する両側面部中央には、後述する可動接片４を回動可能に支持する突出部からなる一対の回動支持部１ｃが設けられている。この回動支持部１ｃの中央には、後述する共通接点２が圧入されて保持される接点挿入孔１ｄが設けられており、この接点挿入孔１ｄを挟んで両側には、一対の円弧面からなる回動面１ｅが形成されている。この回動面１ｅに後述する可動接片４の支持舌片４ａ先端の円弧状の支持突部４ｃが係合されて回動可能に支持されるものとなっている。
【００１５】
また、前記収納部１ａの両側面部には、前記回動支持部１ｃを挟んで両端部に、突出部からなる複数の絶縁壁部１ｆが設けられている。この絶縁壁部１ｆの略中央には、後述する個別接点３が圧入されて保持される接点挿入孔１ｇが設けられており、この接点挿入孔１ｇから一定距離離れた一端側近傍の前記絶縁壁部１ｆには、後述する個別接点３から離反する可動接片４の弾接舌片４ｂを拡開させる先細状の案内部１ｈが個別接点３の突出方向へ突出されて一体的に形成されている。この案内部１ｈの個別接点に対応する突出方向の高さを変更することにより、スイッチのオン／オフの切り換え時のオン／オフする時間的なタイミングを変更することが可能となっている。
【００１６】
また、前記ハウジング１の一対の側面部中央には、後述する操作レバー６を回動可能に軸支する突出部からなる一対の支軸部１ｉが形成されており、また、これと直交する他の一対の側面部中央には、前記ハウジング１の底面側へ突出して電話機などの機器側の回路基板などの取付孔に係合される一対の脚部１ｊが形成されたものとなっている。
【００１７】
共通接点２、及び個別接点３は、導電性の金属材からなる棒状の丸線材を一定長さに切断して形成されており、全て同一の長さとなるように形成されている。この共通接点２、及び個別接点３の丸棒状の側面中央には、前記ハウジング１の圧入保持部である前記接点挿入孔１ｄ、１ｇの内面に対応する複数の凹凸部２ａ、３ａが、プレス加工などの方法によって偏肉形成されている。また、この凹凸部２ａ、３ａは、それぞれの丸線材に形成された前記凹凸部２ａ、３ａの端縁部からそれぞれの先端面までの長さが、略同一長さとなるように形成されており、前記接点挿入孔１ｄ、１ｇに挿入する際の方向性の識別が不要となって簡単に圧入できるようになっている。
【００１８】
前記共通接点２、及び個別接点３を、前記ハウジング１の接点挿入孔１ｄ、１ｇに圧入して保持する時には、偏肉された前記凹凸部２ａ、３ａが前記圧入保持部に強嵌合されると共に、スイッチの回路基板への実装時の半田付け時の熱によって圧入部分の内面の樹脂が軟化して前記凹凸部２ａ、３ａに入り込み凝固することにより、前記ハウジング１に前記共通接点２、及び個別接点３を強固に取り付けることができるものとなっている。
【００１９】
また、図６に示すように前記共通接点２、及び個別接点３は、前記凹凸部２ａ、３ａの一部を前記ハウジング１の底部から表出した状態で前記ハウジング１に圧入保持されるように形成されており、この凹凸部２ａ、３ａによってフラックスの侵行する延面距離を延長できると共に、凹凸部の溝部をフラックス溜まり部とすることができることから、半田付け時のフラックス上がりを抑えることができるものとなっている。
【００２０】
可動接片４は、弾性を有する導電性の薄板状の金属板を折り曲げ、クリップ状に形成されている。この可動接片４の中央には、前記共通接点２と常時弾接する支持舌片４ａが形成されており、この支持舌片４ａを挟んで両側には、前記個別接点３と接離される一対の弾接舌片４ｂが形成されている。また、前記支持舌片４ａには、前記共通接点２との弾接位置から自由端側に延出する支持突部４ｃが形成されており、この支持突部４ｃは、前記支持舌片４ａと前記共通接点２との弾接位置に対して、前記ハウジング１の内底面側に延出して形成されている。また、前記支持突部４ｃの自由端側の端面は円弧状に形成されており、この円弧状の前記支持突部４ｃが、前記ハウジング１に形成された円弧状の前記回動支持部１ｃの回動面１ｅに回動可能に支持されるものとなっている。
【００２１】
前記可動接片４は、前記支持突部４ｃが前記回動支持部１ｃに回動可能に支持されて、前記支持舌片４ａが前記共通接点２と常時弾接されており、後述する操作レバー６の回動操作に伴って、前記弾接舌片４ｂが前記個別接点３と前記絶縁壁部１ｆの案内部１ｈとの間を摺接することにより、前記共通接点２と個別接点３との間で接離されて接点のオン／オフが行われるものとなっている。
【００２２】
復帰ばね５は、巻線状のコイルばねからなり、一端側が前記ハウジング１のばね収容部１ｂに係止され、他端側が後述する操作レバー６の図示しないばね係止部に係止されて操作レバー６を初期位置へ復帰させるものとなっている。
【００２３】
操作レバー６は、合成樹脂などの絶縁材で形成されており、下面が開口された略方形の箱形からなるカバー部６ａと、このカバー部６ａの一端側に長尺状に突出して形成された操作部６ｂから形成されている。また、前記カバー部６ａの両側面部には、前記ハウジング１に形成された一対の支軸部１ｉに軸支される一対の軸孔部６ｃが形成されている。そして、前記カバー部６ａの内底面が前記可動接片４の上面部と当接することにより、前記可動接片４が、前記操作レバー６の回動に伴って、前記ハウジング１の前記回動支持部１ｃを回動支点として回動されるものとなっている。
【００２４】
次に、上記実施例のレバー操作タイプのスイッチ装置の動作について図３、４及び図７、８に基づいて説明する。
まず、図３に示す初期の状態では、前記操作レバー６は前記復帰ばね５の付勢力により図示反時計方向へ回動付勢されている。この時、前記可動接片４は、前記支持舌片４ａが、常時前記共通接点２と接触されており、また、一対の前記弾接舌片４ｂのうち右側が、一対の前記個別接点３のうち右側の個別接点３と接触された状態となっている（図７に示す）。一方、左側の前記弾接舌片４ｂは、前記絶縁壁部１ｆによって拡開された状態となっており、左側の前記個別接点３とは離間された状態となっている（図８に示す）。
この状態では、前記共通接点２と右側の前記個別接点３が接続されオン状態となっており、左側の前記個別接点３はオフ状態となっている。
【００２５】
この状態から、図４に示すように前記操作レバー６の操作部６ｂが受話器などで押圧されると、前記操作レバー６が前記ハウジング１の支軸部１ｉを中心に回動されると共に、前記可動接片４が回動されて図示時計方向へ回動する。この回動に伴って、前記可動接片４は、オン状態だった右側の前記弾接舌片４ｂが、前記絶縁壁部１ｆによって拡開されて右側の前記個別接点３から離間されてオフ状態となり、反対に、オフ状態だった左側の前記弾接舌片４ｂが、前記絶縁壁部１ｆから外れて前記個別接点３に接触することでオン状態となる。
この状態では、前記共通接点２と左側の前記個別接点３が接続されてオン状態となり、右側の前記個別接点３は前記共通接点２から離間されてオフ状態となることから接点の切り換えが行われるものとなっている。
【００２６】
この状態から、前記操作部６ｂへの押圧を解除すれば、前記操作レバー６は前記復帰ばね５の付勢力によって図３に示す初期状態へ復帰するものとなっている。
【００２７】
上記構成によれば、前記可動接片４の支持舌片４ａには、前記共通接点２との弾接位置から自由端側に延出する、前記支持突部４ｃが形成されており、この支持突部４ｃの先端を前記ハウジング１の収納部１ａの内底面に形成した前記回動支持部１ｃに支持させて、前記支持舌片４ａを前記共通接点２に常時弾接させながら、前記可動接片４を回動可能に支持させるようにしたことから、従来の構造のように共通接点に直接可動接片を軸支させる必要がないため、前記共通接点２や個別接点３を幅の狭い丸線材に変えても、前記可動接片４を安定して揺動支持することができ、接点形状を単純な棒状の丸線材で形成できるので、材料費や加工費が安価となり、前記共通接点２と個別接点３との部品の共通化が図れるものとなっている。
【００２８】
また、前記支持舌片４ａに形成された前記支持突部４ｃは、前記支持舌片４ａが前記共通接点２を挟持して摺接する弾接位置に対して、前記ハウジング１の収納部１ａの内底面側に延出して形成されていることから、回動時に、前記支持突部４ｃと前記ハウジング１の回動支持部１ｃとの摺動によって削れによる摩耗粉が発生したとしても、前記共通接点２との弾接位置よりも下側で発生するため、前記共通接点２との弾接位置への付着を防止することができ、安定した接触が得られるものとなっている。
【００２９】
また、前記支持突部４ｃの自由端側の端面は円弧状に形成されており、この円弧状に形成された前記支持突部４ｃの先端が、前記ハウジング１の前記回動支持部１ｃに円弧状に形成された前記回動面１ｅに回動可能に支持されるようになっていることから、簡単な構造で回動のための支持部を形成することができ、安定した回動動作が得られるものとなっている。
【００３０】
上記構成では、スイッチの接点部をオン／オフさせる構造として、前記収納部１ａの内底面に、前記個別接点３の突出方向に向けて突出させた前記絶縁壁部１ｆを形成し、この絶縁壁部１ｆに前記可動接片４の弾接舌片４ｂを挟持させて拡開させることにより前記個別接点３から離反させて接点部をオフさせるようにしたことから、前記絶縁壁部１ｆの形状を変更することにより、スイッチのオン／オフの切り換え時のオン／オフする時間的なタイミングを変更することが可能となっている。
【００３１】
また、前記絶縁壁部１ｆは、前記ハウジング１と一体に成形された突出部から形成されており、この突出部に前記個別接点３から離反する前記可動接片４の弾接舌片４ｂを拡開させる先細状の前記案内部１ｈが形成されていることから、前記案内部１ｈを適宜変更するだけで容易にバラエティーの変更対応が可能となる。
【００３２】
また、前記案内部１ｈは、前記収納部１ａの内底面に突出して形成された前記絶縁壁部１ｆ上で、前記個別接点３が突出された位置の近傍に、この個別接点３とは一定距離だけ離間して形成されていることから、スイッチの切り換え時に発生するアークにより前記絶縁壁部１ｆの樹脂壁が劣化するのを防止することができ、接点部の切り換えを確実に行うことができるものとなる。
【００３３】
また、前記ハウジング１の収納部１ａに、前記共通接点２及び個別接点３を複数組配設して、それぞれの前記個別接点３に対応する前記絶縁壁部１ｆの案内部１ｈの突出方向の高さを、それぞれ異ならせて形成することにより、スイッチの切り換え時のタイミングを同一スイッチの中でそれぞれ変更することが可能となり、多種にわたるバラエティー対応が可能となる。
【００３４】
図９及び図１０は絶縁壁部１ｆの他の実施例の構成を示し、この場合、絶縁壁部１ｆに形成され、前記個別接点２から離反する前記可動接片４の弾接舌片４ｂを拡開させる先細状の案内部１ｈは、前記個別接点３の突出方向とは反対の方向（前記収納部１ａの内底面側）に向けて、前記個別接点３の先端側に位置するように前記絶縁壁部１ｆに一体的に形成されており、かつ、前記絶縁壁部１ｆは、前記ハウジング１の内側面から張り出させて一体的に形成されている。
【００３５】
この場合、前記可動接片４が、前記ハウジング１の内底面から離れる方向（図示上方向）に回動した時には、前記案内部１ｈによって前記弾接舌片４ｂが拡開し、その反対に、前記ハウジング１の内底面に近づく方向（図示下方向）に回動した時には、前記案内部１ｈから、乗り上げていた前記弾接舌片４ｂが離れて、前記個別接点３との接触を許容するように形成されている。
【００３６】
尚、上記構成では、図３及び図４で示したスイッチの切り換え時のオン／オフの切り換えが、左右の前記個別接点３間で逆転することとなり、例えば、図３の初期状態においては、前記可動接片４は、前記共通接点２と左側の前記個別接点３とが接続（オン）された状態となり、反対に右側の前記個別接点３とは離間（オフ）された状態となっている。
【００３７】
この場合においても、前記案内部１ｈの前記個別接点３に対応する突出方向の高さを変更することにより、スイッチのオン／オフの切り換え時のオン／オフする時間的なタイミングを変更することが可能となっており、上述した図７及び図８の構成と同様の効果が得られるものとなる。
また、図７及び図８の構成と組み合わせることにより種々の切り換え時のタイミングのバラエティーに対応することが可能となっている。
【００３８】
【発明の効果】
以上説明したように、本発明のスイッチ装置は、ハウジングに揺動可能に支持された可動接片と弾接する一端側が、収納部の内底面に配設されると共に、他端側がハウジングの底部から突出された共通接点及び個別接点を、棒状の丸線材で形成すると共に、ハウジングに圧入保持して、共通接点及び個別接点の側面に、ハウジングの圧入保持部の内面に対応する凹凸部を形成したことから、偏肉された凹凸部が圧入保持部に強嵌合されると共に、スイッチの回路基板への実装時の半田付け時の熱によって圧入部分の内面の樹脂が軟化して凹凸部に入り込み凝固することにより、ハウジングへの共通接点及び個別接点の取り付けを強固に行うことができる。
【００３９】
また、共通接点及び個別接点を、同一長さの丸線材で形成すると共に、それぞれの丸線材に形成された凹凸部からそれぞれの端面までの長さを略同一長さに形成したことから、共通接点及び個別接点を接点挿入孔に挿入する際の方向性の識別が不要となって簡単に圧入でき、組立性が向上される。
【００４０】
また、共通接点及び個別接点は、凹凸部の一部をハウジングの底部から表出した状態でハウジングに圧入保持したことから、この凹凸部によってフラックスの侵行する延面距離を延長できると共に、凹凸部の溝部をフラックス溜まり部とすることができるため、半田付け時のフラックス上がりを抑えることができる。
【００４１】
また、丸線材からなる共通接点及び個別接点の一端側を、ハウジングの収納部の内底面に突出させると共に、この一端側の側面を可動接片の支持舌片と弾性舌片とで挟持したことから、接点部の構造が簡易となり、安価対応が可能となる。
【図面の簡単な説明】
【図１】本発明の１実施例であるレバー操作タイプのスイッチ装置を示す分解斜視図である。
【図２】本発明の同じくレバー操作タイプのスイッチ装置を示す全体斜視図である。
【図３】本発明の同じく操作レバーの初期状態を示す側断面図である。
【図４】本発明の同じく操作レバーの操作時を示す側断面図である。
【図５】本発明の同じくハウジングを示す平面図である。
【図６】本発明の同じくハウジングを示す側断面図である。
【図７】本発明の同じく可動接片と個別接点とのオン状態を示す説明図である。
【図８】本発明の同じく可動接片と個別接点とのオフ状態を示す説明図である。
【図９】本発明の同じく可動接片と個別接点とのオフ状態の他の実施例を示す説明図である。
【図１０】本発明の同じく可動接片と個別接点とのオン状態の他の実施例を示す説明図である。
【図１１】従来のレバー操作タイプのスイッチ装置を示す分解斜視図である。
【図１２】従来のレバー操作タイプのスイッチ装置を示す側断面図である。
【図１３】従来のレバー操作タイプのスイッチ装置を示す側断面図である。
【符号の説明】
１  ハウジング
１ａ  収納部
１ｂ  ばね収容部
１ｃ  回動支持部
１ｄ，ｇ  接点挿入孔（圧入保持部）
１ｅ  回動面
１ｆ  絶縁壁部
１ｈ  案内部
１ｉ  支軸部
１ｊ  脚部
２  共通接点
２ａ  凹凸部
３  個別接点
３ａ  凹凸部
４  可動接片
４ａ  支持舌片
４ｂ  弾接舌片
４ｃ  支持突部
５  復帰ばね
６  操作レバー
６ａ  カバー部
６ｂ  操作部
６ｃ  軸孔部
【図１】
0003835982.tif 000002
【図２】
0003835982.tif 000003
【図３】
0003835982.tif 000004
【図４】
0003835982.tif 000005
【図５】
0003835982.tif 000006
【図６】
0003835982.tif 000007
【図７】
0003835982.tif 000008
【図８】
0003835982.tif 000009
【図９】
0003835982.tif 000010
【図１０】
0003835982.tif 000011
【図１１】
0003835982.tif 000012
【図１２】
0003835982.tif 000013
【図１３】
0003835982.tif 000014